(57)【要約】【課題】  特にカーブするトンネル内などの交通路幅方向端部での通路形成に関し、工期を大幅に短縮してカーブする箇所における通路形成施工に有効使用される通路壁用部材を提供する。【解決手段】交通路の側壁と間隔をおいて、あらかじめ形成された、基礎片と基礎片の一端より略垂直に立ち上がる通路壁片とにより略Ｌ字状をなし、かつ基礎片には貫通孔及び切り欠き部が設けられてなり、貫通孔あるいは切り欠き部内には配筋された補強筋が露出して配置された通路壁用部材を、通路壁片につき垂直方向へ向けて立設すると共に、通路壁片と側壁との間からはコンクリートを打設し、打設したコンクリートにつき基礎片の貫通孔及び切り欠き部を通過させて一体化させた、ことを特徴とする。【選択図】              図１
2007277874.tif 000002
【特許請求の範囲】
【請求項１】
交通路の幅方向端部に設けられる通路の施工方法であって、
交通路の側壁と間隔をおいて、あらかじめ形成された、基礎片と基礎片の一端より略垂直に立ち上がる通路壁片とにより略Ｌ字状をなし、かつ基礎片には貫通孔及び切り欠き部が設けられてなり、前記貫通孔あるいは前記貫通孔及び切り欠き部内には配筋された補強筋が露出して配置された通路壁用部材を、前記通路壁片につき垂直方向へ向けて立設すると共に、湾曲した交通路の長手方向に沿い、少なくとも通路壁片の長手方向端部を当接させて湾曲状態に接続設置してなり、
前記通路壁片と前記側壁との間からはコンクリートを打設し、打設したコンクリートにつき基礎片の前記貫通孔及び切り欠き部を通過させて一体化させた、
ことを特徴とするトンネル通路施工方法。
【請求項２】
交通路の幅方向端部に設けられる通路の施工方法であって、
交通路の側壁と間隔をおいて、あらかじめ形成された、基礎片と基礎片の一端より略垂直に立ち上がる通路壁片とにより略Ｌ字状をなし、かつ基礎片には貫通孔及び開口が長手方向外側に向いた凹状切り欠き部が設けられ、前記貫通孔あるいは前記貫通孔及び凹状切り欠き内には配筋された補強筋が露出して配置され、かつ前記凹状切り欠き部を構成する外側突片先端は前記基礎片の長手方向の長さより短尺とされた通路壁用部材を、前記通路壁片につき垂直方向へ向けて立設すると共に、湾曲する交通路の長手方向に沿い、少なくとも通路壁片の長手方向端部を当接させて湾曲状態に接続設置してなり、
前記通路壁片と側壁との間からコンクリートを打設し、打設したコンクリートにつき前記基礎片の貫通孔及び凹状切り欠き部を通過させて一体化させた、
ことを特徴とするトンネル通路施工方法。
【請求項３】
基礎片と、基礎片の一端より略垂直に立ち上がる通路壁片と、により略Ｌ字状をなし、基礎片には貫通孔及び切り欠き部が設けられてなり、前記貫通孔あるいは前記貫通孔及び切り欠き部内には配筋された補強筋が露出して配置された、
ことを特徴とする請求項１記載の通路壁用部材。
【請求項４】
基礎片と、基礎片の一端より略垂直に立ち上がる通路壁片と、により略Ｌ字状をなし、かつ基礎片には貫通孔及び開口が長手方向外側へ向った凹状切り欠き部が設けられ、前記貫通孔あるいは前記貫通孔及び凹状切り欠き内には配筋された補強筋が露出して配置され、かつ前記凹状切り欠き部を構成する外側突片先端は前記基礎片の長手方向の長さより短尺に形成された、
ことを特徴とする請求項２記載の通路壁用部材。
【発明の詳細な説明】
【技術分野】
【０００１】
本発明は、例えばトンネル内等の交通路、特に湾曲してカーブする交通路の幅方向端部に形成される通路の施工方法に係り、また該通路の下部には各種の電線、通信線、配水管及び各種信号線等を収納する配線管路が設けられる通路施工方法及び通路壁用部材に関するものである。
【背景技術】
【０００２】
従来、例えばトンネル長手方向端部にトンネル内監視員用の通路を形成する擁壁構造及び擁壁構造用部材（特開２００２−３２７６００号公報参照）が提案されている。
【０００３】
この従来提案では、トンネル断面を大きくする必要なしに、路面からの排水とトンネル側壁からの湧水の排除処理を的確に行え、また工事費の節減が可能なトンネル内監視員通路の擁壁構造が提供でき、かつ現場での工程を極力減らし、工期を大幅に短縮できるトンネル内監視員通路の擁壁構成用部材を提供することが目的とされていた。
【０００４】
しかしながら、前記従来の擁壁構成用部材などでは、特にカーブするトンネル内などで前記従来の部材を用いての施工が困難である。
【０００５】
【特許文献１】特開２００２−３２７６００号公報
【発明の開示】
【発明が解決しようとする課題】
【０００６】
かくして、本発明は、前記従来の課題を解消するために創案されたものであって、特にカーブするトンネル内などの交通路幅方向端部での通路形成に関し、工事費の節減が可能なカーブする箇所におけるトンネル通路の施工方法を提供出来ると共に、現場での施工工程を極力減らし、工期を大幅に短縮してカーブする箇所における通路形成施工に有効使用される通路壁用部材を提供することを目的とするものである。
【課題を解決するための手段】
【０００７】
本発明によれば、
交通路の幅方向端部に設けられる通路の施工方法であって、
交通路の側壁と間隔をおいて、あらかじめ形成された、基礎片と基礎片の一端より略垂直に立ち上がる通路壁片とにより略Ｌ字状をなし、かつ基礎片には貫通孔及び切り欠き部が設けられてなり、前記貫通孔あるいは前記貫通孔及び切り欠き部内には配筋された補強筋が露出して配置された通路壁用部材を、前記通路壁片につき垂直方向へ向けて立設すると共に、湾曲した交通路の長手方向に沿い、少なくとも通路壁片の長手方向端部を当接させて湾曲状態に接続設置してなり、
前記通路壁片と前記側壁との間からはコンクリートを打設し、打設したコンクリートにつき基礎片の前記貫通孔及び切り欠き部を通過させて一体化させた、
ことを特徴とし、
または、
交通路の幅方向端部に設けられる通路の施工方法であって、
交通路の側壁と間隔をおいて、あらかじめ形成された、基礎片と基礎片の一端より略垂直に立ち上がる通路壁片とにより略Ｌ字状をなし、かつ基礎片には貫通孔及び開口が長手方向外側に向いた凹状切り欠き部が設けられ、前記貫通孔あるいは前記貫通孔及び凹状切り欠き内には配筋された補強筋が露出して配置され、かつ前記凹状切り欠き部を構成する外側突片先端は前記基礎片の長手方向の長さより短尺とされた通路壁用部材を、前記通路壁片につき垂直方向へ向けて立設すると共に、湾曲する交通路の長手方向に沿い、少なくとも通路壁片の長手方向端部を当接させて湾曲状態に接続設置してなり、
前記通路壁片と側壁との間からコンクリートを打設し、打設したコンクリートにつき前記基礎片の貫通孔及び凹状切り欠き部を通過させて一体化させた、
ことを特徴とし、
または、
基礎片と、基礎片の一端より略垂直に立ち上がる通路壁片と、により略Ｌ字状をなし、基礎片には貫通孔及び切り欠き部が設けられてなり、前記貫通孔あるいは前記貫通孔及び切り欠き部内には配筋された補強筋が露出して配置された、
ことを特徴とし、
または、
基礎片と、基礎片の一端より略垂直に立ち上がる通路壁片と、により略Ｌ字状をなし、かつ基礎片には貫通孔及び開口が長手方向外側へ向った凹状切り欠き部が設けられ、前記貫通孔あるいは前記貫通孔及び凹状切り欠き内には配筋された補強筋が露出して配置され、かつ前記凹状切り欠き部を構成する外側突片先端は前記基礎片の長手方向の長さより短尺に形成された、
ことを特徴とするものである。
【発明の効果】
【０００８】
本発明によれば、特にカーブするトンネル内などの交通路での通路形成に関し、工事費の節減が可能な通路の施工方法が提供出来ると共に、現場での施工工程を極力減らし、工期を大幅に短縮してカーブする箇所における通路形成施工に有効使用される通路壁用部材を提供できるとの優れた効果を奏する。
【発明を実施するための最良の形態】
【０００９】
以下、本発明を図に示す実施例に基づいて説明する。
図１において、トンネル１の幅方向端部に例えばトンネル監視者用などが使用できる通路２（図４参照）が形成されることとなる。
【００１０】
ここで、トンネル１の側壁３と所定の間隔をおき、かつトンネル１の進行方向と略平行方向となるよう、直方体状をなす本体にその軸方向へ向かい貫通する水路用の中空部４が設けられ、かつ該中空部４と上面部とがスリット状の排水溝５によって連通されて形成された水路用部材６がトンネル１の長手方向へ接続されて敷設される。
【００１１】
さらに、敷設された水路用部材６とトンネル１の側溝３との間における底面部には所定の厚みを有して均しコンクリートが現場で打設され、いわゆる基礎部７が形成される。
【００１２】
この基礎部７上に間隔保持具８を介して通路壁用部材９が立設される。
ここで、本発明による通路壁用部材９は、あらかじめ工場などで作製された、いわゆるプレキャストコンクリート製品であり、当該既設の通路壁用部材９が現場であるトンネル１内における交通路の状況に合わせて使用されるものとされる。
【００１３】
本発明ではトンネル１内などの交通路はカーブする交通路となっており、従ってかかるカーブする交通路の幅方向端部に形成される通路もやはりカーブさせて施工しなければならないこととなる。
【００１４】
よって、次にカーブする通路の施工に使用される通路壁用部材９の構成につき説明する。
【００１５】
該通路壁用部材９は、所定の厚みを有する長方形状をなす基礎片１０と、該基礎片１０の幅方向一端より略垂直方向へ立ち上がる通路壁片１１とを備えて略Ｌ字状をなして形成されている。ここで、通路壁片１１は所定の厚みを有する略長方形状をなし、その内側表面側には方形状のくぼみ１２が設けられている。なお、当該くぼみは複数個設けられていても構わないし、全く設けられてなくとも構わない。
【００１６】
また、長手方向両端には接続板による接続のために接続穴が各々上下端に２カ所設けられている。ここで、前記接続穴は２カ所以上設けても構わないし、設けていない場合であっても構わない。
【００１７】
なお、図６から理解されるように、接続板を利用して嵌合接続するための凹状接続部２０，２０が各々上下方向に２カ所設けても構わない。そして、この凹状接続部２０についても２カ所以上設けても構わないし、設けていない場合であっても構わない。
【００１８】
各図から理解されるように、基礎片１０の略中央部には上下方向に貫通し、長方形状をなす貫通孔１３が２カ所に設けられ、かつ当該貫通孔１３には略十字に交差して配筋された補強筋１４が露出した状態で設けられている。
【００１９】
さらに、図５に示す実施例では、基礎片１０の長手方向両端部はそれぞれ切り欠かれて切り欠き部２１，２１が設けられてなり、該切り欠き部２１，２１内においても配筋された補強筋１４が略十字状に交差した状態で露出し、配置されている。なお、図５では長手方向両端部に切り欠き部２１，２１を形成したが、いずれか一方側の端部のみに切り欠き部２１を形成したタイプでも構わない。
【００２０】
ついで、図２に示すように、立設された通路壁片１１とトンネル１の側壁３との間の空間からコンクリート１５が打設される。しかして、打設されたコンクリート１５は前記貫通孔１３及び切り欠き部２１，２１を通過し、立設されている通路壁用部材９の構成部材である基礎片１０の裏面方向まで流動する。
【００２１】
さらに、図２から理解されるように、水路用部材６と通路壁片１１の外表面下部との隙間からもコンクリート１５を打設するものとする。そして、図３に示す現場打ちコンクリート表面１６となる位置まで打設し、その後打設したコンクリート１５を養生、固化させる。
【００２２】
なお、水路用部材６と通路壁片１１との隙間からのコンクリート１５の打設は必須要件ではない。前述したように、立設された通路壁片１１とトンネル側壁３との間の空間からコンクリート１５が打設され、打設されたコンクリート１５が前記貫通孔１３を通過し、立設されている通路壁用部材９の構成部材である基礎片１０の裏面まで流動し、そこからさらにコンクリートを流動させて水路用部材６と通路壁片１１との隙間を塞ぐようにしても構わない。
【００２３】
しかして、前記のようにコンクリート１５を打設すると、たとえ通路壁用部材９をあらかじめ工場で作製し、それを現場で使用するものであったとしても、全体としてコンクリート１５を現場打ちして作製したのと同様の強度の有するトンネル１の通路２を得ることができる。
【００２４】
ここで、前記基礎片１０の貫通孔１３には略十字状に交差して配筋された補強筋１４が露出して設けられており、該露出された補強筋１４は現場打ちのコンクリート１５としっかり密着するものとなる。よって、なおさら通路壁用部材９の立設強度が高くなる。すなわち、基礎片１０に設けられた貫通孔１０を通過させて現場打ちのコンクリート１６を打設しており、これにより、あらかじめ工場で作製された通路壁用部材９は現場打ちのコンクリート１５と一体化し、極めて高い強度を有するものとなる。
【００２５】
しかも、従来型枠を現場で組み立て、該型枠内にすべてコンクリートを現場打ちにして施工していたのに比較し、施工コストもきわめて安価にすることができ、その施工の工期もきわめて短縮したものにできるとのメリットがある。
【００２６】
その後、通路壁片１１とトンネル側壁３との空間内に例えばコンクリート部材により形成された配線路部材１７あるいは埋設路部材１８を敷設した後、これらの部材を埋設する。
【００２７】
なお、ここで、使用される埋設物については何ら限定されるものではないが、通常の土砂などを使用して構わないものである。
【００２８】
また、図６に示したように、通路壁片１１の内側面には、くぼみ１２，１２が設けられているタイプがあるが、埋設物がこのくぼみ１２に入り込むため、このくぼみ１２があっても通路壁片全体の強度は保持でき、しかも使用するコンクリート量を前記くぼみ１２の分だけ削減することができるものとされる。
【００２９】
そして、図４に示すように、通路壁片１１の上端部とトンネル側壁３との間をシールすべくコンクリート１５を現場打ちしてシールコンクリート１９を形成する。
【００３０】
ここで、前記シールコンクリート１９が固化すると、その表面がトンネル１内の通路２となる。
【００３１】
ところで、本発明では図７に示すように、湾曲した交通路、たとえばカーブ路として構成されている例えばトンネル１内の交通路のような場合、当該箇所の幅方向端部に設けられる通路２についてもカーブさせて施工敷設しなければならない。
【００３２】
ここで使用される通路壁用壁部材９は、前述のように、基礎片１０と、該基礎片１０の幅方向一端より略垂直に立ち上がる通路壁片１１とにより略Ｌ字状をなして形成され、前記基礎片１０の中央には方形状をなす貫通孔１３が、また基礎片１０の長手方向両端部は切り欠かれ、長方形状をなす切り欠き部２１，２１が設けられるものとなる（図５参照）。
【００３３】
そして、前記貫通孔１３及び切り欠き部２１，２１内には略十字状に交差して配筋された補強筋１４が露出して配置されている。
【００３４】
しかして、前記通路壁用部材９を使用してのカーブした通路の形成方法は、前記通路壁用部材９を長手方向に接続するに際し、図９，図１０から理解されるように、基礎片１０の両端部側に設けられた切り欠き部２１，２１を若干重ね合う様にして内側へ曲げて敷設し、この状態からコンクリートを打設するものとなる。
【００３５】
これにより内側にカーブした通路を簡単に形成できる。しかも内側にカーブするその曲率は、前記切り欠き部２１の２倍の長さにおいて自由自在に決定でき、曲率の大きな湾曲通路や曲率の緩やかな湾曲通路が自由に形成できるものとなる。この際、少なくとも接続する通路壁片１１、１１の長手方向端部同士は当接させておくものとする。
【００３６】
なお、内側に湾曲したカーブ路端部に通路２を施工する場合について説明したが、外側に湾曲したカーブ路において外側方向に湾曲した通路２は本発明によって当然施工しうる。この場合は基礎片１０の長手方向両端側に設けられた切り欠き部２１，２１あるいは凹状切り欠き部２２，２２の隙間を広くするだけであり、何ら施工上の問題はない。もし強度の向上を企図するのであれば隣り合う補強筋１４，１４間の隙間部分に補強筋１４を現場で配筋するか、現場で例えば金属製連結部材を用いて連結し補強筋１４の代替を図ればよい。
【００３７】
次に、図６では本発明の他の実施例を示したもので、この実施例における通路壁用部材９は、基礎片１０と、該基礎片１０の一端より略垂直に立ち上がる通路壁片１１とにより略Ｌ字状をなし、基礎片１０の中央には貫通孔１３が、また長手方向端部には凹状切り欠き部２２が設けられている。図６では長手方向の一方側端部にのみ凹状切り欠き部２２を設けた例を示したが、長手方向の両端部に凹状切り欠き部２２，２２を設けてもかまわない。
【００３８】
そして、前記貫通孔１３及び凹状切り欠き部２２内には補強筋１４が略十字状に交差して配筋され、かつ露出して配置され、さらに前記凹状切り欠き部２２を構成する外側突片先端２３が切削等によって、通路壁片１１の長手方向の長さより短尺に構成されている。
【００３９】
しかして、本実施例（長手方向の両端部に凹状切り欠き部２２，２２が設けられたタイプ）による通路壁用部材９を使用してのカーブした通路２の形成方法は、通路壁用部材９を長手方向に接続するに際し、図１１から理解されるように、基礎片１０の両端部側に設けられた外側突片先端２３，２３同士を当接させる。すると、前記外側突片先端２３，２３は通路壁片１１の長手方向の長さより短く形成されているため、必然的に内側へ湾曲することになり、カーブして敷設出来るものとなる。この際においても、少なくとも接続する通路壁片１１、１１の長手方向端部同士についても当接させておくものとする。
【００４０】
そして、この状態からコンクリートを打設すればよい。ここで、本実施例による通路壁用部材９を使用するメリットとしては、基礎片１０の重量を切り欠き部２１とするより凹状切り欠き部２２として形成した分だけ重くでき、通路壁用部材９の通路壁片１１を立設して施工するに際し、通路壁用部材９の立設安定性を向上させることが出来るものとなる。
【００４１】
また、本実施例での通路壁用部材９では内側に湾曲形成する際の曲率範囲は狭いものと理解されがちであるが、現場において前記外側突片先端２３をさらに切削などして短尺にすれば、前記曲率を大きくとることも出来る。
【００４２】
なお、図７には基礎片１０の長手方向端部を斜めに切削などし、略台形状に形成したものである。この様に構成してもカーブする通路が形成できる。そして、図７では切削などする程度がそれほど大きくとっていないため、基礎片１０内に配筋されている補強筋１４が露出しないものとなっている。
【００４３】
次に、図８では基礎片１０の長手方向両端部あるいは一端部に補強筋１４が露出しないような浅い切り欠き部２１を設け、かつ長手方向中央にさらに切り欠き部２１を設けたものである。この様なタイプの通路壁用部材９を使用することもできる。
【図面の簡単な説明】
【００４４】
【図１】本発明の構成を説明する構成説明図（その１）である。
【図２】本発明の構成を説明する構成説明図（その２）である。
【図３】本発明の構成を説明する構成説明図（その３）である。
【図４】本発明の構成を説明する構成説明図（その４）である。
【図５】通路壁用部材の構成を説明する構成説明図（その１）である。
【図６】通路壁用部材の構成を説明する構成説明図（その２）である。
【図７】通路壁用部材の構成を説明する構成説明図（その３）である。
【図８】通路壁用部材の構成を説明する構成説明図（その４）である。
【図９】通路壁用部材の構成を説明する構成説明図（その５）である。
【図１０】通路壁用部材の構成を説明する構成説明図（その６）である。
【図１１】通路壁用部材の構成を説明する構成説明図（その７）である。
【図１２】従来の構成を説明する構成説明図である。
【符号の説明】
【００４５】
１      トンネル
２      通路
３      トンネルの側壁
４      中空部
５      スリット状の排水溝
６      水路用部材
７      基礎部
８      間隔保持具
９      通路壁用部材
１０    基礎片
１１    通路壁片
１２    くぼみ
１３    貫通孔
１４    補強筋
１５    コンクリート
１６    現場打ちコンクリート表面
１７    配線路部材
１８    埋設路部材
１９    シールコンクリート
２０    接続部
２１    切り欠き部
２２    凹状切り欠き部
２３    外側突片先端  
【図１】
2007277874.tif 000003
【図２】
2007277874.tif 000004
【図３】
2007277874.tif 000005
【図４】
2007277874.tif 000006
【図５】
2007277874.tif 000007
【図６】
2007277874.tif 000008
【図７】
2007277874.tif 000009
【図８】
2007277874.tif 000010
【図９】
2007277874.tif 000011
【図１０】
2007277874.tif 000012
【図１１】
2007277874.tif 000013
【図１２】
2007277874.tif 000014